(57)【要約】【課題】正極と負極とセパレータとを上下方向に複数積層した電極体において、正極と負極との短絡を防ぐことができるとともに、電極体を効率よく作製できる扁平角型電池を得る。【解決手段】本発明の扁平角型電池は、電極体１を収容する電池缶２が、四角形状の底壁３の周縁から周壁５を上向きに曲げた扁平角皿形状の正極缶６と、四角形状の上壁７の周縁から周壁９を下向きに曲げた扁平角皿形状の負極缶１０と、正極缶６と負極缶１０との周縁間に配置されたガスケット１１とを備える。そして、扁平角型電池は、正極缶６の周壁５の開口端部を内方に向けてガスケット１１を介してかしめ加工することで作製される。電極体１は、四角形状の正極１２と四角形状の負極１３とをセパレータ１５を介在させた状態で上下方向に交互に積層することで直方体形状に構成される。扁平四角形状の袋状のセパレータ１５内に正極１２が収容される。【選択図】図１
2009224276.tif 000002
【特許請求の範囲】
【請求項１】
発電要素の電極体を収容する電池缶が、四角形状の底壁の周縁から周壁を上向きに曲げた扁平角皿形状の正極缶と、四角形状の上壁の周縁から周壁を下向きに曲げた扁平角皿形状の負極缶と、前記正極缶と前記負極缶との周縁間に配置されたガスケットとを備え、前記正極缶又は前記負極缶のうち、いずれか一方の缶の前記周壁の開口端部が内方に向けて前記ガスケットを介してかしめ加工された扁平角型電池であって、
前記電極体が、四角形状の正極と四角形状の負極とをセパレータを介在させた状態で上下方向に交互に複数積層することで直方体形状に構成され、
前記セパレータが、扁平四角形状の袋状に形成されていて、前記正極又は前記負極のうち、少なくとも一方の電極が、前記袋状のセパレータ内に収容されていることを特徴とする扁平角型電池。
【請求項２】
前記セパレータは、一枚のシート材を上下に折り畳んで該セパレータの上側部分と下側部分との周縁どうしを接着することで、扁平四角形状の袋状に形成されている請求項１記載の扁平角型電池。
【請求項３】
前記セパレータは、二枚のシート材を重ね合わせて、これらシート材の周縁どうしを接着することで、扁平四角形状の袋状に形成されている請求項１記載の扁平角型電池。
【請求項４】
前記袋状のセパレータ内に収容された電極は、金属箔製の集電体の上下面に活物質層を配置することで作製され、
前記集電体には、導電性のリードが一体形成されている請求項１ないし３のいずれかに記載の扁平角型電池。
【請求項５】
前記リードが、前記袋状のセパレータにおける四辺のうち、いずれかの一辺側から前記セパレータ外へ導出されており、
前記セパレータの前記一辺側には、前記袋状のセパレータ内に収容された電極の前記リードの基端側を覆うための被覆部が延出されている請求項４記載の扁平角型電池。
【請求項６】
前記各セパレータから導出した前記リードが、先端側を一まとめにした状態で前記電池缶の内面に接続されている請求項４又は５記載の扁平角型電池。
【発明の詳細な説明】
【技術分野】
【０００１】
本発明は、電池缶内に発電要素としての電極体を収容するリチウムイオン二次電池等の扁平角型電池に関する。
【背景技術】
【０００２】
扁平型の電池の公知例としては、例えば特許文献１ないし３を挙げることができる。特許文献１および特許文献２の扁平型電池では、帯状の正極と帯状の負極との間に帯状のセパレータを介在させた状態で捲回した電極体を形成する。そして、特許文献１・２の扁平型電池では、捲回後の電極体が、正極と負極との対面方向に加圧されて（特許文献１の段落番号００２７参照）、扁平な直方体形状に作製され、該電極体が、正極缶と負極缶とからなる電池缶内に収容される。かかる特許文献１・２の扁平型電池では、電極面積を大きくすることができる分だけ、大きな電池容量を得ることができる。
【０００３】
ところが、特許文献１の扁平型電池では、電池缶が、コイン形やボタン形になっているために（特許文献１の段落番号００１１参照）、電池缶２の内部がほぼ円柱形状になってしまう。このため、特許文献１の扁平型電池では、電池缶内において直方体形状の電極体の周囲にデッドスペースが生じてしまい、該デッドスペースの分だけ電池容量を大きくできないといった問題があった。一方、特許文献２の扁平型電池では、その図２に示すように、電池缶が直方体形状になっているので、電池缶内の内部容積を有効に使って、電池缶内に収容できる電極体を大きくすることができ、これにて電池容量を大きくすることができることになる。
【０００４】
しかし、特許文献２のような捲回式の電極体では、電極面積が大きくなって電池容量を大きくできる反面、以下の不利がある。つまり、捲回始めに、正極、負極又はセパレータのいずれかが幅方向に僅かに傾いていても、捲回が進むに従って正極、負極又はセパレータの幅方向の位置ずれが大きくなる。このため、捲回の終端側で、正極や負極がセパレータからはみ出して、正極と負極とが短絡する等のおそれがある。
【０００５】
これに対して、特許文献３の扁平型の電池では、正極と負極とをセパレータを介して上下方向に交互に複数積層して電極体を作製している。特許文献３のような積層式の電極体では、いずれかの正極、負極又はセパレータに位置ずれが生じても、積層工程が進むにつれて位置ずれが大きくなるようなことがない。つまり、特許文献３の扁平型電池では、電極体の作製の際の精度管理を、捲回式の電極体よりも軽減することができる。
【０００６】
【特許文献１】特開２００１−６８１４３号公報（図１）
【特許文献２】特開２００４−１４２８９号公報（図１−２）
【特許文献３】特開２００３−１４２１６１号公報（図１−２）
【発明の開示】
【発明が解決しようとする課題】
【０００７】
しかし、特許文献３の扁平型電池でも、正極、負極又はセパレータに位置ずれが生じることがあるために、正極と負極とが短絡することを確実には排除できないところに問題がある。また、特許文献３の扁平型電池では、正極の上側にセパレータを重ね、該セパレータの上側に負極を重ね、該負極の上側にセパレータを重ね、該セパレータの上側に正極を重ねることを繰り返して電極体を作製しなければならず、電極体を効率よく作製することができない問題もある。
【０００８】
本発明は、以上のような問題点を解決するためになされたものであり、正極と負極とセパレータとを上下方向に複数積層した電極体において、正極と負極との短絡を確実に防ぐことができるとともに、電極体を効率よく作製できる扁平角型電池を提供することにある。
【課題を解決するための手段】
【０００９】
本発明は、発電要素の電極体１を収容する電池缶２が、四角形状の底壁３の周縁から周壁５を上向きに曲げた扁平角皿形状の正極缶６と、四角形状の上壁７の周縁から周壁９を下向きに曲げた扁平角皿形状の負極缶１０と、正極缶６と負極缶１０との周縁間に配置されたガスケット１１とを備える。正極缶６又は負極缶１０のうち、いずれか一方の缶６の周壁５の開口端部が内方に向けてガスケット１１を介してかしめ加工された扁平角型電池を対象とする。そして、前記電極体１が、四角形状の正極１２と四角形状の負極１３とをセパレータ１５を介在させた状態で上下方向に交互に複数積層することで直方体状に構成される。セパレータ１５は、扁平四角形状の袋状に形成されていて、正極１２又は負極１３のうち、少なくとも一方の電極１２が、袋状のセパレータ１５内に収容されていることを特徴とする。
ここでは、一方の缶を正極缶として一方の缶に正極缶６の符号を付し、一方の電極を正極として一方の電極に正極１２の符号を付したが、一方の缶が負極缶１０、一方の電極が負極１３であってもよい。またセパレータ１５には、扁平四角形状の枠体内に電極１２を収容した状態で該枠体の上下面にそれぞれシート材２２を接着して袋状に形成したもの等が含まれる。
【００１０】
具体的には、セパレータ１５は、一枚のシート材２２を上下に折り畳んで該セパレータ１５の上側部分１５ａと下側部分１５ｂとの周縁どうしを接着することで扁平四角形状の袋状に形成される。
【００１１】
また、セパレータ１５は、二枚のシート材２２を重ね合わせて、これらシート材２２の周縁どうしを接着することで、扁平四角形状の袋状に形成されるものとすることができる。
【００１２】
袋状のセパレータ１５に収容された電極１２が、金属箔製の集電体１７の上下面に活物質層１６を形成することで作製されており、集電体１７には、導電性のリード２５が一体形成されるものとすることができる。
【００１３】
リード２５が、セパレータ１５におけるシート材２２の折り目２３を除く他の三辺側のうち、いずれかの一辺側２４からセパレータ１５外へ導出される。前記セパレータ１５の一辺側２４には、電極１２のリード２５の基端側を覆うための被覆部２７が延出されるものとすることができる。
【００１４】
袋状の各セパレータ１５から導出したリード２５は、先端側を一まとめにした状態で電池缶２の内面に接続されているものとすることができる。
【発明の効果】
【００１５】
本発明の扁平角型電池においては、少なくとも一方の電極１２が扁平四角形状の袋状のセパレータ１５内に収容されるので、正極１２が負極１３に接触して正極１２と負極１３とが短絡することを確実に防止できる。また、本発明の扁平角型電池は、セパレータ１５と該セパレータ１５内の電極１２とを一つのユニットとして積層できるために、例えば正極１２と負極１３とセパレータ１５とを別々にして重ねる場合に比して、電極体１を効率よく作製することができる。これにて、扁平角型電池の製造効率が向上する。
【００１６】
電極体１が直方体形状であるので、扁平角皿形状の正極缶６と扁平角皿形状の負極缶１０とで形成された直方体形状の電池缶２の内部を有効に使って、電極体１を電池缶２内に収容することができる。つまり、本発明の扁平角型電池は、例えばボタン形の電池缶２において該電池缶２の円柱形状の内部に直方体形状の電極体１を収容する場合に生じる、電極体１の周囲の無駄なデッドスペースを抑えることができる。すなわち、本発明の扁平角型電池では、電池缶２の内部に対して電極体１を効率よく大きくすることができ、これに伴って電池容量を大きくすることができる。
【００１７】
また、電極体１の正極１２と負極１３とがそれぞれ四角形状であるので、電池缶２内で正極１２や負極１３が回転することが、直方体形状となる電池缶２の内部の四つの内面で規制され、これにて正極１２や負極１３が回転方向にずれることが抑えられる。さらに、電極体１の正極１２と負極１３とがそれぞれ四角形状であるので、帯状の集電体１７・２０に活物質層１６・１９を形成した長尺の原反を無駄なく使って、電極１２・１３を形成することができる。つまり、例えば正極１２や負極１３が丸形の場合には、前記原反を丸く打ち抜いて電極１２・１３を形成したときに、打ち抜かれたあとの原反の残り部分が多くなり、この残り部分が無駄に捨てられることになる。これに対して本発明の扁平角型電池では、電極１２・１３が四角形状であるので、原反を所定間隔ごとに切断することで電極１２・１３を作製することができ、原反を無駄なく使うことができる。
【００１８】
一枚のシート材２２を上下に折り畳んでセパレータ１５の上側部分１５ａと下側部分１５ｂとの周縁どうしを接着することで袋状のセパレータ１５が形成されていると、折り畳んだシート材２２において、折り目２３を除く他の二辺又は三辺を接着するだけで袋状に形成できるので、この分だけ袋状のセパレータ１５を作製するための手間を低減できる。
【００１９】
二枚のシート材２２を重ね合わせて、これらシート材２２の周縁どうしを接着することで袋状のセパレータ１５が形成されていると、例えば硬質プラスチック等の折り畳みが容易ではない素材を使って、袋状のセパレータ１５を作製することができる。
【００２０】
袋状のセパレータ１５に収容された電極１２のリード２５が集電体１７と一体形成されると、集電体１７とリード２５とを同時に作製することができる。つまり、本発明の扁平角型電池では、例えばリード２５を集電体１７とは別体で形成して、該リード２５を集電体１７に取り付ける場合よりも、電極体１の製造効率が向上する。これにて扁平角型電池の製造効率が向上する。
【００２１】
セパレータ１５外へ導出されたリード２５の基端側が被覆部２７で覆われていると、リード２５が、セパレータ１５に収容されていない電極１３に接触して短絡すること等を確実に防止することができる。この分だけ扁平角型電池の歩留まりがよくなって、扁平角型電池の製造効率が向上する。
【００２２】
各セパレータ１５から導出したリード２５が、先端側を一まとめにした状態で電池缶２の内面に接続されると、例えば各リード２５を別々に電池缶２の内面に接続する場合よりも、電極体１を容易に作製することができる。これによっても扁平角型電池の製造効率が向上する。
【発明を実施するための最良の形態】
【００２３】
図１ないし図５に、本発明に係る扁平角型電池を示す。この扁平角型電池は、発電要素の電極体１および非水電解液を扁平四角形状の電池缶２内に収容する。電池缶２は、図２および図３に示すように、四角形状の底壁３の周縁から周壁５を上向きに曲げた扁平角皿形状の正極缶６と、四角形状の上壁７の周縁から周壁９を下向きに曲げた扁平角皿形状の負極缶１０と、正極缶６と負極缶１０との周縁間に配置されたガスケット１１とを備える。負極缶１０の周壁９の下部は、内外二重のはぜ折りに加工してある。正極缶６および負極缶１０はステンレス等からなる。ガスケット１１は、絶縁材からなり、正極缶６と負極缶１０との間を封止する。
【００２４】
そして、負極缶１０とガスケット１１とを正極缶６内に嵌め込み、正極缶６の周壁５の開口上端部を内方に向けてガスケット１１を介してかしめ加工することで、正極缶３と負極缶１０とが、ガスケット１１を介在させた状態で嵌め合わされる（図２の状態）。扁平角型電池の全高寸法は５．０ｍｍであり、電池缶２の内部空間の全高寸法は４．５ｍｍである。
【００２５】
電極体１は、図１および図３に示すように、四角形状の正極１２と四角形状の負極１３とをセパレータ１５を介在させた状態で上下方向に交互に複数積層することで扁平な直方体形状に構成される。図１では、正極１２が３層、負極１３が４層になっている。正極１２は、コバルト酸リチウム等の正極活物質を含有する正極活物質層１６をアルミニウム等の金属箔製の正極集電体１７の上下両面に形成することで作製される。負極１３は、黒鉛等の負極活物質を含有する負極活物質層１９を銅等の金属箔製の負極集電体２０の上下両面に形成することで作製される。正極１２の厚さ寸法は１５０μｍ、負極１３の厚さ寸法は１４０μｍである。
【００２６】
最上段の負極１３は、図１に示すように、負極集電体２０の上面に負極活物質層１９を形成しておらず、該負極集電体２０の上面が露出状態で負極缶１０の上壁７の内面に接触している。最下段の負極１３は、負極集電体２０の下面に負極活物質層１９を形成しておらず、負極集電体２０が露出している。最下段の負極１３の負極集電体２０と、正極缶６の底壁３の内面との間には、短絡防止用の絶縁シール２１が介在する。絶縁シール２１は、ポリエチレンやポリプロピレン等からなる。
【００２７】
セパレータ１５は、絶縁性に優れたポリエチレン製の微多孔性薄膜で構成してあって、リチウムイオンが透過可能になっている。つまり、セパレータ１５は、図４に示すように一枚の長方形状の微多孔性薄膜のシート材２２を、正極１２を挟み込むようにして上下に折り畳み、該セパレータ１５の上側部分１５ａと下側部分１５ｂとの周縁どうしを熱溶着等によって接着することで、扁平四角形状の袋状（図５参照）に形成される。これにて、袋状のセパレータ１５内に正極１２が収容される。袋状のセパレータ１５の縦横方向の各寸法は、正極１２の縦横方向の各寸法よりも大きくなっている。シート材２２の厚さ寸法は１６μｍである。
【００２８】
各正極１２の正極集電体１７には、横方向に延びる導電性の正極リード２５が一体形成される。正極リード２５は、図５に示すように、セパレータ１５においてシート材２２の折り目２３の反対側に位置する一辺側２４からセパレータ１５外へ導出されている。
【００２９】
前記セパレータ１５の一辺側２４の縦方向の中央には、図４および図５に示すように、正極リード２５の基端側を覆うための被覆部２７が延出される。つまり、セパレータ１５の上側部分１５ａおよび下側部分１５ｂの一辺側２４の縦方向の中央には、上側被覆部２７ａおよび下側被覆部２７ｂがそれぞれ延出しており、上下の被覆部２７ａ・２７ｂによって正極リード２５の基端側が上下から挟まれて被覆される（図１参照）。各正極１２の正極リード２５は、図１に示すように、先端側を一まとめにした状態で、正極缶６の底壁３の内面に超音波溶接等で接続される。これにて、各正極１２が正極缶６に導通する。
【００３０】
各負極１３の負極集電体２０には、図５に示すように、横方向に延びる導電性の負極リード２６が一体形成される。そして、図１に示すように、各負極１３の負極リード２６が先端側を一まとめに束ねた状態で、超音波溶接等で互いに接続される。前述のように最上段の負極１３の負極集電体２０が負極缶１０の内面に接触していることで、各負極１３が負極缶１０に導通する。
【００３１】
負極１３の負極活物質層１９を正極１２の正極活物質層１６に確実に対面させてデンドライトの発生等を防止できるように、負極活物質層１９の縦横方向の各寸法が、正極活物質層１６の縦横方向の各寸法よりも大きくなっている。さらに負極活物質層１９の縦横方向の各寸法は、例えば袋状のセパレータ１５の縦横方向の各寸法以上になっている。これにて、負極１３でセパレータ１５の上下両面のいずれか一方の面全体を覆ったときには、該負極１３の負極活物質層１９が、セパレータ１５内の正極１２の正極活物質層１６に確実に対面することになる。
【００３２】
本発明の扁平角型電池の組み立てを図３および図５を参照して説明する。図５に示すように、最上段の負極１３と最下段の負極１３との間に、正極１２を収容した袋状のセパレータ１５と、負極１３とを交互に複数積層する。次いで、各負極１３の負極リード２６を一まとめに束ねた状態で、超音波溶接等で負極リード２６どうしを接続する。また、各正極１２の正極リード２５の先端側どうしを一まとめに束ねる。これにて、図３に示す電極体１が完成する。
【００３３】
次に、正極缶６の底壁３の内面に、前記束ねた電極体１の各正極リード２５の先端側を超音波溶接等で接続する。また、最下段の負極１３と正極缶６の底壁３の内面との間に、絶縁シール２１を配置し、負極缶１０の上壁７を下側にした状態で、負極缶１０の開口端部にガスケット１１を装着する。そして、前記正極缶６に各正極リード２５を接続した電極体１を、最上段の負極１３側を下側にした姿勢で、負極缶１０の上壁７の内面に載置する。
【００３４】
ここで、絶縁シール２１は、正極缶６の底壁３の内面に絶縁材の塗布を行って絶縁シール２１を形成したり、正極缶６の底壁３の内面に絶縁シール２１を貼り付けたりすること等で配置してもよいが、最下段の負極１３の下面に絶縁材の塗布を行って絶縁シール２１を形成したり、最下段の負極１３の下面に絶縁シール２１を貼り付けたりすること等で配置することが好ましい。つまり、負極１３に絶縁シール２１を配置すると、電極体１の位置ずれが生じた場合にも、負極１３と絶縁シール２１との相対位置が変わらないので、負極１３と正極缶６との間の絶縁性を確実に確保できる。ところで、正極リード２５を正極缶６の内面に接続するに際して、正極リード２５の接続部分には絶縁シール２１を配置できないため、絶縁シール２１の配置位置が限定される。これに対し、正極缶６の底壁３の内面に絶縁シール２１を配置する場合には、電極体１の位置ずれを考慮して絶縁シール２１の配置面積を大きくしなければならないが、前述のように絶縁シール２１の配置位置が限定されることで、前記絶縁シール２１の配置面積が制限されて絶縁性の確保が困難になるとともに絶縁シール２１の適正な形成も困難となる。これに対して、前記負極１３に絶縁シール２１を形成する場合には、そのような問題が生じない。
【００３５】
この後、負極缶１０内に非水電解液を注入し、正極缶６を負極缶１０に被せて負極缶１０とガスケット１１とを正極缶６に嵌め込み、正極缶６の周壁５の開口端部を内方に向けてかしめ加工する。これによって正極缶６と負極缶１０とが、ガスケット１１を介在させた状態でかしめ固定されて、図２に示す本発明の扁平角型電池の組み立てが完了する。非水電解液は、例えば、エチレンカーボネートとメチルエチルカーボネートとを混合した溶媒に、ＬｉＰＦ6 を溶解させて作製した。
【００３６】
このように、各正極１２が扁平四角形状の袋状のセパレータ１５内にそれぞれ収容されるので、各正極１２が負極１３に接触して、正極１２と負極１３とが短絡すること等が確実に防止される。また、セパレータ１５と該セパレータ１５内の正極１２とを一つのユニットとして積層できるために、例えば正極１２と負極１３とセパレータ１５とを別々にして重ねる場合に比して、電極体１を効率よく作製することができる。
【００３７】
電極体１が直方体形状であるので、扁平角皿形状の正極缶６と扁平角皿形状の負極缶１０とで形成された直方体形状の電池缶２の内部を有効に使って、電極体１を電池缶２内に収容することができる。つまり、本発明の扁平角型電池は、例えばボタン形の電池缶２において円柱形状の内部に直方体形状の電極体１を収容する場合に生じる、電極体１の周囲の無駄なデッドスペースを抑えることができる。また、正極１２と負極１３とがそれぞれ四角形状であるので、電池缶２内で正極１２や負極１３が回転することが、直方体形状となる電池缶２の内部の四つの内面で規制され、これにて正極１２や負極１３が回転方向にずれることが抑えられる。
【００３８】
正極１２が扁平袋状のセパレータ１５の上下部分１５ａ・１５ｂで挟み込まれているために、正極１２がセパレータ１５に対して動き難くなっている。したがって、セパレータ１５と正極１２との位置関係を特定できる。このため、例えば袋状のセパレータ１５の縦横方向の各寸法と、負極１３の縦横方向の各寸法とを等しくしておくことで、セパレータ１５と負極１３との間での位置合わせを行うだけで、正極１２と負極１３とを適正に対向させることができる。
【００３９】
なお、正極リード２５は、セパレータ１５におけるシート材２２の折り目２３および前記一辺側２４を除く他の二辺のいずれかからセパレータ１５外へ導出してもよい。セパレータ１５は、例えば二枚のシート材２２を重ね合わせて、これらシート材２２の周縁どうしを接着することで扁平四角形状の袋状に形成してもよい。また、正極１２の厚さ寸法および縦横方向の各寸法よりも僅かに厚さ寸法および縦横方向の各寸法が大きい扁平四角形状の枠体を設け、該枠体内に正極１２を収容した状態で、枠体の上下面にそれぞれシート材２２を接着して、扁平四角形状の袋状のセパレータ１５を形成してもよい。該枠体は、絶縁性の樹脂等で形成される。
【００４０】
正極リード２５および負極リード２６を正極１２および負極１３とは別体に形成しておき、この正極リード２５および負極リード２６を正極１２および負極１３にそれぞれ溶接してもよい。セパレータ１５の被覆部２７に代えて、絶縁テープで正極１２の正極リード２５の基端側を覆ってもよい。最下段の負極１３を省略し、それに合わせて最下段の正極１２の下側の正極活物質層１６を省略してもよい。この場合、絶縁シール２１を省略することができる。
【００４１】
負極缶１０の周壁９のはぜ折りを省略するとともに、負極缶１０の縦横方向の各寸法を正極缶６の縦横方向の各寸法よりも大きくしてもよい。この場合、負極缶１０の内面と正極缶６の周縁との間にガスケット１１を介在させ、負極缶１０の周壁９の開口端部を内方に向けてガスケット１１を介してかしめ加工することで、電池缶２が形成されることになる。なお、正極缶６の周壁１１の上部を内外二重のはぜ折りに加工してもよい。
【００４２】
各正極１２に加えて、最上段の負極１３を除く各負極１３を袋状のセパレータ１５内にそれぞれ収容してもよく、最上段の負極１３を除く各負極１３のみを袋状のセパレータ１５内に収容してもよい。
【図面の簡単な説明】
【００４３】
【図１】本発明に係る扁平角型電池の要部の縦断面図である。
【図２】本発明の扁平角型電池の全体を示す縦断面図である。
【図３】扁平角型電池の組み立て前の状態を示す分解断面図である。
【図４】本発明に係るセパレータの作製を説明するための斜視図である。
【図５】本発明に係る電極体の組み立てを説明するための縦断面図である。
【符号の説明】
【００４４】
１  電極体
２  電池缶
３  正極缶の底壁
５  正極缶の周壁
６  正極缶
７  負極缶の上壁
９  負極缶の周壁
１０  負極缶
１１  ガスケット
１２  正極
１３  負極
１５  セパレータ
１７  正極集電体
１８  正極活物質層
１９  負極活物質層
２０  負極集電体
２２  シート材
２３  折り目
２４  セパレータの一辺側
２５  正極リード
２６  負極リード
２７  被覆部
【図１】
2009224276.tif 000003
【図２】
2009224276.tif 000004
【図３】
2009224276.tif 000005
【図４】
2009224276.tif 000006
【図５】
2009224276.tif 000007